(57)【要約】【課題】  非使用時において嵩張ることがなく、かつ、安全性が高いとともに、安価に製造することができる簡易型カミソリを提供すること。【解決手段】  カミソリ刃２は、該カミソリ刃２の刃部２ａがカードの縁辺よりも内側に退避するようにカードの肉厚内に埋設されているとともに、カードにおけるカミソリ刃２の被覆部の表面及び／または裏面には破断線１９が形成されており、該破断線１９を破断して前記被覆部７の一部をカミソリ刃２から分離させることにより、カミソリ刃２の少なくとも刃部２ａが露呈されるように構成されている。【選択図】  図１
2006263048.tif 000002
【特許請求の範囲】
【請求項１】
所定肉厚を有するカードの表面及び／または裏面に形成された折り曲げ線に沿って前記カードの所定部位を折り曲げることにより、カミソリ刃を備えるヘッド部と、該ヘッド部に連設される把手部と、を形成可能な簡易型カミソリであって、
前記カミソリ刃は、該カミソリ刃の少なくとも刃部が前記カードの縁辺よりも内側に退避するように前記カードの肉厚内に埋設されているとともに、前記カードにおける前記カミソリ刃の被覆部の表面及び／または裏面には破断線が形成されており、該破断線を破断して前記被覆部の一部を前記カミソリ刃から分離させることにより、前記カミソリ刃の少なくとも刃部が露呈されるように構成されている、
ことを特徴とする簡易型カミソリ。
【請求項２】
前記破断線は、前記カードの表面または裏面いずれか一方に形成されるとともに、他方の面には、前記カミソリ刃から分離した被覆部を反対面側に折り曲げるための被覆部用折曲げ線が形成されており、該被覆部用折曲げ線に沿って被覆部を折り曲げて前記ヘッド部に並設可能とした、
ことを特徴とする請求項１に記載の簡易型カミソリ。
【請求項３】
前記被覆部を前記ヘッド部に並設したときに、該被覆部の破断端面が前記被覆部用折曲げ線よりも前記刃部側に位置するようにした、
ことを特徴とする請求項２に記載の簡易型カミソリ。
【請求項４】
前記破断線を前記カードの表面に形成するとともに、前記被覆部用折曲げ線を前記カードの裏面に形成して前記被覆部を前記ヘッド部の内側に折り畳み可能とし、前記ヘッド部の内側に並設された被覆部の破断端面が前記刃部よりも外方に突出するようにした、
ことを特徴とする請求項３に記載の簡易型カミソリ。
【請求項５】
前記ヘッド部は、前記把手部の長手方向に対してほぼ直交する方向を向くように設けられるとともに、前記把手部には、該把手部に対して折り曲げられた前記ヘッド部を保持する保持片を切り抜き形成するための切断線が形成されている、
ことを特徴とする請求項１〜４のいずれかに記載の簡易型カミソリ。
【請求項６】
前記保持片には、前記ヘッド部の内側に折り畳まれた被覆部を、前記ヘッド部に並設した状態で係止する係止部が形成されている、
ことを特徴とする請求項５に記載の簡易型カミソリ。
【請求項７】
前記把手部を形成するための把手部用折り曲げ線及び前記ヘッド部を形成するためのヘッド部用折り曲げ線を曲線にて構成した、
ことを特徴とする請求項１〜６のいずれかに記載の簡易型カミソリ。
【発明の詳細な説明】
【技術分野】
【０００１】
本発明は、肉薄のカードの外面に形成された折り曲げ線に沿ってカードの所定部位を折り曲げることにより、カミソリ刃を備えるヘッド部と、該ヘッド部に連設される把手部と、を立体的に形成可能な簡易型カミソリに関する。
【背景技術】
【０００２】
従来、この種のカミソリとしては、例えば長方形状のカードの表面または裏面にカミソリ刃を設けるとともに、カミソリ刃の非使用時には、カードの所定部位を折り曲げ線に沿って折り畳んでカミソリ刃を被覆するように収納し、使用時には折り畳まれた所定部位を反対側に折り返してカミソリ刃を露呈させて使用できるようにしたもの等が提案されている（例えば、特許文献１、２参照）。
【０００３】
【特許文献１】実用新案登録第２５４７６４４号公報（第１−第５図）
【特許文献２】特開２０００−３３４１８４号公報（第１−第３図）
【発明の開示】
【発明が解決しようとする課題】
【０００４】
しかしながら、特許文献１、２に記載のカミソリあっては、非使用時において、カードの所定部位を折り曲げ線に沿って折り畳むことで、カードの表面に露呈した状態に取り付けられているカミソリ刃を被覆することができるが、折り畳むことにより立体的になって嵩張るばかりか、折り畳まれた折り曲げ片が不用意に開放されると、刃部が露呈して危険であるといった問題があった。
【０００５】
また、使用時には折り曲げ線に沿って折り曲げ片を逆向きに折り返す必要があり、これにより使用時における折り曲げ線の形成部の強度が低下するばかりか、非使用時において折り曲げ片を開放不能に係止とするためのスリットや固定具等を設ける必要があり、これにより構造が複雑化したり製造コストが嵩むといった問題があった。
【０００６】
本発明は、このような問題点に着目してなされたもので、非使用時において嵩張ることがなく、かつ、安全性が高いとともに、安価に製造することができる簡易型カミソリを提供することを目的とする。
【課題を解決するための手段】
【０００７】
上記課題を解決するために、本発明の請求項１に記載の簡易型カミソリは、
所定肉厚を有するカードの表面及び／または裏面に形成された折り曲げ線に沿って前記カードの所定部位を折り曲げることにより、カミソリ刃を備えるヘッド部と、該ヘッド部に連設される把手部と、を形成可能な簡易型カミソリであって、
前記カミソリ刃は、該カミソリ刃の少なくとも刃部が前記カードの縁辺よりも内側に退避するように前記カードの肉厚内に埋設されているとともに、前記カードにおける前記カミソリ刃の被覆部の表面及び／または裏面には破断線が形成されており、該破断線を破断して前記被覆部の一部を前記カミソリ刃から分離させることにより、前記カミソリ刃の少なくとも刃部が露呈されるように構成されている、
ことを特徴としている。
この特徴によれば、非使用時や販売時等において、カミソリ刃がカードの肉厚内に埋設されているので、安全性が高いとともに、カードを折り畳んだり、カバー等を別途設けてカミソリ刃を被覆する必要がなく、表裏面が平坦で、かつコンパクトなカード形状としておくことができるため、表裏面に広告等を容易に印刷することができる。また、使用時には、カードの所定部位を折り曲げ線に沿って折り曲げて把手部及びヘッド部を形成するとともに、破断線を破断して被覆部をカミソリ刃から分離することで刃部を容易に露呈させることができるため、カミソリを簡単に構成して使用することができる。
【０００８】
本発明の請求項２に記載の簡易型カミソリは、請求項１に記載の簡易型カミソリであって、
前記破断線は、前記カードの表面または裏面いずれか一方に形成されるとともに、他方の面には、前記カミソリ刃から分離した被覆部を反対面側に折り曲げるための被覆部用折曲げ線が形成されており、該被覆部用折曲げ線に沿って被覆部を折り曲げて前記ヘッド部に並設可能とした、
ことを特徴としている。
この特徴によれば、使用時において被覆部がカードから分離除去されてゴミとならないばかりか、折り返すことで再度刃部を被覆して利用することができる。また、ヘッド部と被覆部との２重構造によって、カミソリ刃の撓みや捩れに対する剛性が高まるため、剃りやすくなる。
【０００９】
本発明の請求項３に記載の簡易型カミソリは、請求項２に記載の簡易型カミソリであって、
前記被覆部を前記ヘッド部に並設したときに、該被覆部の破断端面が前記被覆部用折曲げ線よりも前記刃部側に位置するようにした、
ことを特徴としている。
この特徴によれば、破断端面と剃り面との当接により、カミソリ刃の刃部が剃り面へ深く進入することが効果的に防止され、安全性が高まる。
【００１０】
本発明の請求項４に記載の簡易型カミソリは、請求項３に記載の簡易型カミソリであって、
前記破断線を前記カードの表面に形成するとともに、前記被覆部用折曲げ線を前記カードの裏面に形成して前記被覆部を前記ヘッド部の内側に折り畳み可能とし、前記ヘッド部の内側に並設された被覆部の破断端面が前記刃部よりも外方に突出するようにした、
ことを特徴としている。
この特徴によれば、被覆部が剃り方向に対してカミソリ刃よりも前方に位置するとともに、破断端面が刃部よりも外方に突出するため、カミソリ刃の使用時において、刃部及び被覆部の破断端面を剃り面に対して当接させることで、剃り面に対するカミソリ刃の当て角度を決定するガイドとして被覆部が機能するとともに、剃り時において刃部よりも被覆部が先行することになるので、剃り面となる表皮を被覆部にて引っ張った状態で剃ることができるため、剃り残しを効果的に低減することができる。
【００１１】
本発明の請求項５に記載の簡易型カミソリは、請求項１〜４のいずれかに記載の簡易型カミソリであって、
前記ヘッド部は、前記把手部の長手方向に対してほぼ直交する方向を向くように設けられるとともに、前記把手部には、前記折り曲げ線に沿って折り曲げられた前記ヘッド部を保持する保持片を切り抜き形成するための切断線が形成されている、
ことを特徴としている。
この特徴によれば、把手部の一部を切り抜いて保持片を形成することで、止め具等を別途設けることなく、ヘッド部を把手部に対して所定角度に折り曲げた状態に保持することができるばかりか、非使用時においてカードの表面に凹凸が形成されることがない。
【００１２】
本発明の請求項６に記載の簡易型カミソリは、請求項５に記載の簡易型カミソリであって、
前記保持片には、前記ヘッド部の内側に折り畳まれた被覆部を、前記ヘッド部に並設した状態で係止する係止部が形成されている、
ことを特徴としている。
この特徴によれば、止め具等を別途設けることなく、保持片に形成された係止部に被覆部を係止するだけで、被覆部をヘッド部に並設した状態に保持することができる。
【００１３】
本発明の請求項７に記載の簡易型カミソリは、請求項１〜６のいずれかに記載の簡易型カミソリであって、
前記把手部を形成するための把手部用折り曲げ線及び前記ヘッド部を形成するためのヘッド部用折り曲げ線を曲線にて構成した、
ことを特徴としている。
この特徴によれば、各折り曲げ線に沿って折り曲げられた各部が湾曲することで、カードの裏面に向けて倒伏しにくくなるため、把手部やヘッド部の剛性が高まる。
【発明を実施するための最良の形態】
【００１４】
本発明の実施例を以下に説明する。
【実施例】
【００１５】
本発明の実施例を図面に基づいて説明すると、先ず図１は本発明の実施例としての簡易型カミソリの使用形態を示す斜視図であり、図２（ａ）は簡易型カミソリの展開状態を示す平面図、（ｂ）はその底面図であり、図３は図２（ａ）のＡ−Ａ断面図であり、図４はカミソリの組み立て工程を示す図であり、図５はカミソリ刃近傍の構造を示す拡大断面図であり、図６は簡易型カミソリの使用状態を示す断面図である。
【００１６】
図１には、本発明の実施例としての簡易型カミソリ１（以下、カミソリ１と略称する）が組み立られた状態が示されており、該カミソリ１は、カミソリ刃２を備えるヘッド部３と、該ヘッド部３に連設される把手部４と、から主に構成され、ヘッド部３は、把手部４の長手方向に対して直交する向きに設けられており、全体として平面視略Ｔ字型をなすカミソリとして形成されている。なお、以下の説明において、把手部４を基準としてヘッド部３側を前側、その反対側を後側として説明していく。
【００１７】
把手部４は、ヘッド部３に向けて左右幅広となる平面視略台形状をなす主板部４ａと、該主板部４ａの左右側辺から下方に向けて垂下される側板部４ｂ、４ｂと、主板部４ａの後端辺から下方に向けて垂下される後板部４ｃと、からなり、左右の側板部４ｂ、４ｂは、後板部４ｃの左右端に形成された上向きのフック片４ｄにて係止され、外方への展開が不能に係止されている。
【００１８】
主板部４ａの略中央位置からは、平面視略Ｔ字状の保持片５が下方に向けて切り抜かれている。切り抜かれた保持片５は前向きに向けて折り返され、その先端部はヘッド部３に形成された横長の挿通穴６に挿通されており、該挿通された先端部の左右側に形成されたフック片５ａ、５ａが上向きに折り曲げられることで、該フック片５ａによりヘッド部３の外方への展開が不能に係止されている。
【００１９】
また、ヘッド部３の内側には、後述する補強片部７が並設されており、該補強片部７の左右側に形成された差込片７ａ、７ａは、ヘッド部３の左右側に形成された縦長の差込穴８、８内に差し込まれ、補強片部７の内面に近接させた状態で保持されている。なお、ヘッド部３の下端からは、カミソリ刃２の刃部２ａが露呈されている。
【００２０】
図１に示されるカミソリ１は、図２に示されるように、平面視略長方形状に形成された厚紙からなるカードＣを、使用時において後述する折り曲げ線に沿って折り曲げることにより、立体的な把手部４及びヘッド部３が形成されるようになっている。本実施例におけるカードＣは、所定肉厚を有する厚紙（本実施例では厚さ約１ミリ）にて構成されており、その裏面には、ヘッド部３及び把手部４を形成するための折り曲げ線が形成されている。
【００２１】
以下、カードＣについて図２に基づいて具体的に説明すると、まず図２（ｂ）に示されるように、カードＣの裏面には、主板部４ａと左右の側板部４ｂ、４ｂとの境界に、主板部４ａに対して側板部４ｂ、４ｂを裏面側に折り曲げるための谷折り線１０が形成され、主板部４ａとヘッド部３との境界に、主板部４ａに対してヘッド部３を裏面側に折り曲げるための谷折り線１１が形成され、主板部４ａと後板部４ｃとの境界に、主板部４ａに対して後板部４ｃを裏面側に折り曲げるための谷折り線１２が形成されている。左右の谷折り線１０、１０は、ヘッド部３に向かうに従い互いに左右縁辺に向けて離間する曲線にて形成され、谷折り線１１は、長手方向の中央部がヘッド部３に向けて膨出する曲線にて形成されている。
【００２２】
これら谷折り線１０、１０の前端と谷折り線１１の左右端とは、図２（ａ）（ｂ）に示されるように、カードＣの左右縁辺所定箇所にて交差するようになっており、該交差位置には、折り曲げ時における主板部４ａ、側板部４ｂ、ヘッド部３それぞれの角部同士の干渉を避けるための半円形の切欠部１３、１３がそれぞれ形成されている。
【００２３】
側板部４ｂ、４ｂと後板部４ｃとの境界には、側板部４ｂ、４ｂから後板部４ｃを分離させるための切断線１４が形成されているとともに、カードＣの左右縁辺の後部所定箇所には、後板部４ｃの後端左右側に形成されたフック片４ｄ、４ｄの凹部を嵌合保持して、後板部４ｃの前後方向への揺動を規制するための切欠部１５、１５が形成されている。
【００２４】
主板部４ａの中央に形成される保持片５の前端辺と主板部４ａとの境界線には、主板部４ａに対して保持片５を前方に向けて折り曲げるための谷折り線１６が形成されているとともに、該谷折り線１６以外の周辺には、保持片５を裏面側に切り抜くための切断線１７が形成されている。
【００２５】
また、本実施例において、これら谷折り線１０、１１、１２、１６は、図３に示されるように、カードＣの裏面側に断面略三角形状の切り溝（図３中の谷折り線１１、２０ａの切り溝を参照）を凹設することにより形成されており、組み立て前の状態においてカードＣの表面には谷折り線は凹設されていないため、図２（ａ）に示されるように、カードＣの表面は平坦面とされている。
【００２６】
ヘッド部３には、図２及び図３に示されるように、該ヘッド部３の長手方向を向く平面視略長方形のカミソリ刃２が、カードＣの厚み方向の略中央位置に埋設されている。該カミソリ刃２は、先端の刃部２ａがカードＣの前短辺Ｃ１と並行な向きで、前短辺Ｃ１よりも内側に退避した退避位置に配置されており、外面全体が被覆されるようにカードＣの肉厚内に埋設されている。
【００２７】
本実施例におけるカミソリ刃２は、カードＣの成型時において、上記したようにカードＣ内に埋設した状態で一体成型されており、図３に示されるように、カミソリ刃２の本体に形成された複数の穴部２ｂ内にも紙材の一部が入り込むことで所定位置に固定されているため、後述するように刃部２ａが外部に露呈されても、カミソリ刃２がカードＣから抜け出ることがない。
【００２８】
カードＣの前短辺Ｃ１からは、前述した補強片部７が外向きに連設されている。該補強片部７の左右側には差込片７ａ、７ａが左右側に向けて突設されており、カードＣの裏面側におけるこれら補強片部７と差込片７ａとの間には、差込片７ａ、７ａを表面側に向けて折り曲げるための谷折り線１８が形成されている。
【００２９】
カードＣにおけるカミソリ刃２の表面側を被覆する表被覆部２１ａには、補強片部７を裏面側に折り曲げる際において、該表被覆部２１ａの前部をカミソリ刃２の表面から分離させて刃部２ａを外部に露呈させるための平面視前向き略コ字状の破断線１９（本実施例ではミシン目）が形成されている（図２（ａ）、図３参照）。また、カードＣにおけるカミソリ刃２の裏面側を被覆する裏被覆部２１ｂには、補強片部７を裏面側に折り曲げる際において、該裏被覆部２１ｂの前部をカミソリ刃２の裏面から分離させて刃部２ａを外部に露呈させるための谷折り線２０ａ及び該谷折り線２０ａの左右端から前短辺Ｃ１に向けて延びる破断線２０ｂ、２０ｂ（本実施例ではミシン目）が形成されている（図２（ｂ）、図３参照）。
【００３０】
本実施例においては、図３に示されるように、刃部２ａの表面側長手方向に向けて形成される破断線１９よりも、刃部２ａの裏面側長手方向に向けて形成される被覆部用折曲げ線としての谷折り線２０ａの方が前短辺Ｃ１（刃部２ａ）寄りに位置するように、相対位置を前後方向に向けてずらして形成されている。また、ヘッド部３には、前述した横長の挿通穴６と、差込穴８、８がそれぞれ形成されている。
【００３１】
以上説明したように、カードＣの状態において、カミソリ刃２はカードＣの肉厚内に埋設されているので、非使用時における安全性が高いとともに、カードＣを折り畳んだりカバー等を別途設けること等によりカミソリ刃２を被覆する必要がないので、非使用時や販売時等において、表裏面が平坦な肉薄のカード形状のまま使用者に提供することができる。また、嵩張ることがなく、携帯性に優れるとともに、非使用時や販売時等において刃部２ａが外部に露呈されないため、安全性も高い。
【００３２】
また、カードＣの表面に、例えば文字や絵柄等を容易に印刷することができるため、広告媒体として利用することもできる。
【００３３】
次に、このように形成される平板状のカードＣを立体的に組み立ててカミソリ１を構成する方法を図４〜図６に基づいて説明すると、まず、図４（ａ）に示されるように、谷折り線１０、１１、１２に沿ってヘッド部３及び側板部４ｂ、後板部４ｃを主板部４ａに対して下向きに折り曲げる。
【００３４】
次いで、図４（ｂ）に示されるように、折り曲げた後板部４ｃの左右のフック片４ｄ、４ｄを切欠部１５、１５内に嵌合させて、後板部４ｃの前後移動及び側板部４ｂ、４ｂの開放を規制する。また、切断線１７を介して保持片５を主板部４ａから裏面側に向けて切り抜き、その先端を前側に折り返して挿通穴６内に挿通し、左右のフック片５ａ、５ａを上向きに折り曲げてヘッド部３に係止する。
【００３５】
このように、ヘッド部３は、把手部４の長手方向に対してほぼ直交する方向を向くように形成されるとともに、把手部４には、谷折り線１１に沿って折り曲げられたヘッド部３を保持する保持片５を切り抜き形成するための切断線１７が形成されているため、止め具等を別途設けることなく、ヘッド部３を把手部４に対して所定角度に折り曲げた状態に保持することができるばかりか、非使用時においてカードＣの表面に凹凸が形成されることがない。
【００３６】
また、ヘッド部３には、該ヘッド部３に並設された表被覆部２０ａを含む補強片部７の両端部に形成されたフック片７ａ、７ａを差込可能な差込穴８、８が形成されていることで、止め具等を別途設けることなく、補強片部７をヘッド部３に並設した状態に保持することができるため、製造コストの低減化を図ることができる。
【００３７】
また、この状態において、谷折り線１０、１０及び谷折り線１１が曲線にて形成されていることで、側板部４ｂ、４ｂやヘッド部３が内側へ倒伏してカードＣの裏面まで折れ曲がることが、側板部４ｂ、４ｂやヘッド部３が谷折り線１０、１０及び谷折り線１１に沿って湾曲することにより防止されるため、カミソリ１全体の剛性が高まる。
【００３８】
さらに、図４（ｂ）の状態から破断線１９に沿って表被覆部２１ａの一部を破断し、該表被覆部２１ａと一体化された補強片部７を裏面側に向けて折り曲げることにより、図５に示されるように、表被覆部２１ａの一部がカミソリ刃２から分離して刃部２ａの表面側が露呈されるとともに、さらに折り曲げた補強片部７を、ヘッド部３の内面（内側）に沿うように並設し、差込片７ａ、７ａを内側から差込穴８、８の外側に向けてそれぞれ差し込んだ後、若干折り曲げることで、表被覆部２１ａの一部を含む補強片部７がヘッド部３の内側に並設された状態に保持される。
【００３９】
このように、カミソリ１の使用時において表被覆部２１ａが完全にカードＣから分離除去されることがないため、ゴミとならないばかりか、表被覆部２１ａと一体化されている補強片部７とヘッド部３との２重構造によってヘッド部３の剛性が高まり、図６に示されるような使用時において、カミソリ刃２が撓んだり捩れることが防止されるため、剃りやすくなる。
【００４０】
また、前述したように、カードＣの表面に形成された破断線１９よりもカードＣの裏面に形成された谷折り線２０ａの方が、前短辺Ｃ１（刃部２ａ）寄りの位置に形成されていることで、図５、図６に示されるように、カミソリ１の使用状態において、表被覆部２１ａにおける破断端面１９ａ（破断線１９を破断したときに形成される端面）が、刃部２ａよりも下方に突出することになる。特に本実施例においては、図５に示されるように、カミソリ刃２の表裏面に平行な直線Ｌ３に対して直交する直線Ｌ２に対して、刃部２ａの先端と破断端面１９ａの先端部とを通過する直線Ｌ１の傾斜角（内角）θ１が所定の鋭角（本実施例では約２５度）となるように構成されている。
【００４１】
このように、カミソリ刃２から分離した表被覆部２１ａ及び補強片部７をヘッド部３の内側に折り畳み、表被覆部２１ａが剃り方向に対してカミソリ刃２よりも前方に位置するようにするとともに、破断端面１９ａが刃部２ａよりも外方に突出するように構成することで、カミソリ刃２の使用時において、図６に示されるように、刃部２ａ及び表被覆部２１ａの破断端面１９ａを剃り面となる肌に対して当接させることで、剃り面に対するカミソリ刃２の当て角度を決定するガイドとして表被覆部２１ａが機能し、カミソリ刃２を剃り面に対して傾斜させた姿勢にて容易に剃ることができるようになる。
【００４２】
また、剃り時において刃部２ａよりも表被覆部２１ａが先行することになるので、剃り面となる肌の表皮を表被覆部２１ａにて引っ張った状態で剃ることができるため、剃り残しを効果的に低減することができるとともに、深剃りが可能となる。
【００４３】
また、剃り面に対する刃部２ａの進入が破断端面１９ａと剃り面との当接により規制され、これにより必要以上の深剃り等が防止されるため、カミソリ１の使用時における安全性が高まる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、カードＣは所定厚みを有する１枚の厚紙にて構成されていたが、複数枚（例えば２枚）の厚紙を上下方向に重ね合わせることにより所定肉厚のカードＣを形成してもよい。また、この場合、カミソリ刃２を上下の厚紙の間に挟持させた状態で、接着剤等を介して所定位置に固設すればよい。
【００４６】
また、複数枚のカミソリ刃をカードＣの肉厚内に並設し、複数枚のカミソリ刃を備えるカミソリとしてもよい。
【００４７】
また、カードＣの材質は、前記実施例のような紙材に限定されるものではなく、例えば合成樹脂材等にて形成してもよい。さらに、カードＣの厚みは前記実施例の１ミリに限定されるものではなく、任意に変更可能である。
【００４８】
また、前記実施例では、ヘッド部３が把手部４の長手方向に対して直交方向を向く、平面視略Ｔ字状のカミソリ１が適用されていたが、本発明にあっては、ヘッド部３及びカミソリ刃２が、把手部４の長手方向と平行な向きに配置される直線型のカミソリにも適用可能である。
【００４９】
また、前記実施例では、被覆部の一部とともに補強片部７をヘッド部３の内面側に折り返したまま使用するようになっていたが、本発明にあっては、破断線を破断して被覆部をカードＣから完全に分離して除去できるようにしてもよい。
【００５０】
また、前記実施例では、破断線がミシン目にて形成されていたが、被覆部を所定の方向に引っ張る、あるいは所定の方向に折り曲げること等により破断しうるものであれば、例えば切り溝等にて形成されていてもよい。
【００５１】
また、前記実施例では、補強片部７は被覆部２１ａ、２１ｂから連設されており、該補強片部７の折り曲げに伴って被覆部２１ａ、２１ｂが反対面側に折り返されるようになっていたが、必ずしも補強片部７がカードＣの前短辺Ｃ１から外向きに突設するように被覆部２１ａ、２１ｂから連設されていなくてもよく、被覆部２１ａ、２１ｂのみを反対面側に折り返してヘッド部３の内側または外側に並設できるようにしてもよい。
【００５２】
また、前記実施例では、被覆部２１ａ、２１ｂを含む補強片部７をヘッド部３の内側に並設したときに、その左右端に形成された差込片７ａ、７ａを差込穴８内に挿通することでヘッド部３の内側に保持するようになっていたが、例えば図７及び図８に示されるように、保持片５を形成するための切断線１７の一部を変形させて、切り抜かれた保持片５の一部に係止部としてのくびれ部５ｂが形成されるようにするとともに、補強片部７の下端辺の左右方向中央位置に被係止部としての切欠凹部７ｂを形成し、ヘッド部３の内側に被覆部２１ａ、２１ｂを含む補強片部７を折り畳んだときに切欠凹部７ｂを保持片５のくびれ部５ｂに嵌合させることで、補強片部７がくびれ部５の周縁に係止されるようにしてもよい。
【００５３】
このようにすれば、ヘッド部３や補強片部７に止め具等を設けることなく、保持片５に形成された係止部としてのくびれ部５ｂに、被覆部２１ａ、２１ｂを含む補強片部７の係止凹部７ｂを係止するだけで、被覆部２１ａ、２１ｂをヘッド部３に並設した状態に保持することができる。また、ヘッド部３に差込穴８等を形成する必要がないので、ヘッド部３の強度低下を防止できる。
【図面の簡単な説明】
【００５４】
【図１】本発明の実施例としての簡易型カミソリの使用形態を示す斜視図である。
【図２】（ａ）は簡易型カミソリの展開状態を示す平面図、（ｂ）はその底面図である。
【図３】図２（ａ）のＡ−Ａ断面図である。
【図４】カミソリの組み立て工程を示す図である。
【図５】カミソリ刃近傍の構造を示す拡大断面図である。
【図６】簡易型カミソリの使用状態を示す断面図である。
【図７】本発明の変形例としての簡易型カミソリの使用形態を示す斜視図である。
【図８】図７の簡易型カミソリの要部拡大断面図である。
【符号の説明】
【００５５】
１            カミソリ
２            カミソリ刃
２ａ          刃部
３            ヘッド部
４            把手部
５            保持片
５ａ          フック片
５ｂ          くびれ部（係止部）
７            補強片部
７ａ          差込片
７ｂ          係止凹部（被係止部）
１０          谷折り線（把手部用折り曲げ線）
１１          谷折り線（ヘッド部用折り曲げ線）
１６、１８    谷折り線
１７          切断線（切り抜き線）
１９          破断線
１９ａ        破断端面
２０ａ        谷折り線（被覆部用折曲げ線）
２１ａ        表被覆部（被覆部）
２１ｂ        裏被覆部（被覆部）
Ｃ            カード
【図１】
2006263048.tif 000003
【図２】
2006263048.tif 000004
【図３】
2006263048.tif 000005
【図４】
2006263048.tif 000006
【図５】
2006263048.tif 000007
【図６】
2006263048.tif 000008
【図７】
2006263048.tif 000009
【図８】
2006263048.tif 000010